(57)【要約】【課題】  小型化を図ることが可能であると共に、装着する際の作業性を向上させることが可能なノイズ吸収装置を提供すること。【解決手段】  コア１には、長手方向に垂直な断面形状において長軸の長さが挿入される信号ケーブルＳＣの外径の２倍以上であると共に短軸の長さが挿入される信号ケーブルＳＣの外径と同等以上で且つ２倍未満であるケーブル挿通路が形成されている。コア１の長手方向に垂直な断面での外形形状は、ケーブル挿通路の断面形状に対応して長軸及び短軸を有する形状である。コア１は、コア係止部１９により、第１のケース部材１１のコア収容部１７に保持される。第１及び第２のケース部材１１，３１は、コア収容部１７，３７と、ケーブル収容部１８，３８とを有する。コア収容部１７，３７とケーブル収容部１８，３８とは、コア１の短軸に平行な方向に隣り合うように位置する。【選択図】  図８
2006147796.tif 000002
【特許請求の範囲】
【請求項１】
第１のケース部材と、第２のケース部材と、ケーブルが挿通されると共に前記第１のケース部材及び前記第２のケース部により画成される空間に収容されたコアとを備えるノイズ吸収装置であって、
前記コアには、ケーブルの折り返された複数の部分が当該ケーブルの径方向に沿って並んで挿通されるように、長手方向に垂直な断面形状が長軸及び短軸を有する形状であるケーブル挿通路が形成され、
前記コアは、長手方向に垂直な断面での外形形状が前記ケーブル挿通路の断面形状に対応して長軸及び短軸を有する形状であり、
前記第１のケース部材及び前記第２のケース部材それぞれは、
前記コアを収容するコア収容部と、
ケーブルの折り返された部分を収容するケーブル収容部と、を有しており、
前記コア収容部と前記ケーブル収容部とは、前記コアの前記短軸に平行な方向に隣り合うように位置し、
前記第１のケース部材及び前記第２のケース部材のうち少なくともいずれか一方は、前記コアに係合して当該コアを前記コア収容部に保持するコア係止部を有することを特徴とするノイズ吸収装置。
【請求項２】
前記コアには、長手方向の両端に段差部が形成されており、
前記コア係止部は、前記段差部それぞれに対応して位置して当該段差部に係合する複数の係合片を含むことを特徴とする請求項１に記載のノイズ吸収装置。
【請求項３】
前記コアは、スリーブコアであることを特徴とする請求項１に記載のノイズ吸収装置。
【請求項４】
前記コアは、第１のコア部材と第２のコア部材とを有する分割コアであることを特徴とする請求項１に記載のノイズ吸収装置。
【請求項５】
前記第１のコア部材と前記第２のコア部材とは、前記コアの前記長軸に平行な方向での長さが異なることを特徴とする請求項４に記載のノイズ吸収装置。
【請求項６】
前記第１のケース部材及び前記第２のケース部材それぞれは、前記コアの前記短軸に平行な方向に対向すると共に前記コアの長手方向に伸びる１対の側壁を有しており、
前記ケーブル収容部は、前記１対の側壁のうち一方の側壁側に位置し、
前記コア収容部は、前記１対の側壁のうち他方の側壁側に位置し、
前記ケーブル収容部には、前記コアを前記他方の側壁側に配させるガイド片が設けられていることを特徴とする請求項１に記載のノイズ吸収装置。
【請求項７】
前記第１のケース部材の開口縁及び前記第２のケース部材の開口縁は、前記コアの前記長軸に交差する方向に伸びる平面内に位置していることを特徴とする請求項１に記載のノイズ吸収装置。
【請求項８】
前記第１のケース部材及び前記第２のケース部材それぞれは、前記コアの前記短軸に平行な方向に対向すると共に前記コアの長手方向に伸びる１対の側壁を有しており、
前記第１のケース部材と前記第２のケース部材とは、前記１対の側壁のうち一方の側壁側に設けられたヒンジ部と前記１対の側壁のうち他方の側壁側に設けられた係止部とにより連結され、
前記ケーブル収容部は、前記一方の側壁側に位置することを特徴とする請求項１に記載のノイズ吸収装置。
【請求項９】
前記第１のケース部材及び前記第２のケース部材それぞれは、前記コアの前記短軸に平行な方向に対向すると共に前記コアの長手方向に伸びる１対の側壁を有しており、
前記第１のケース部材と前記第２のケース部材とは、前記１対の側壁のうち一方の側壁側に設けられたヒンジ部と前記１対の側壁のうち他方の側壁側に設けられた係止部とにより連結され、
前記係止部は、
前記第１のケース部材及び前記第２のケース部材のいずれか一方の前記他方の側壁に形成された孔部と、
前記第１のケース部材及び前記第２のケース部材のいずれか他方の前記他方の側壁に形成された差し込み片と、を含み、
前記ケーブル収容部は、前記他方の側壁側に位置することを特徴とする請求項１に記載のノイズ吸収装置。
【請求項１０】
前記第１のケース部材及び前記第２のケース部材それぞれは、前記コアの長手方向に対向する１対の側壁を有しており、
前記１対の側壁には、前記第１のケース部材と前記第２のケース部材とが閉じられた際に前記ケーブル挿通路の断面形状に対応して長軸及び短軸を有する形状の開口部を構成する窪みが形成されていることを特徴とする請求項１に記載のノイズ吸収装置。
【請求項１１】
第１のケース部材と、第２のケース部材と、ケーブルが挿通されると共に前記第１のケース部材及び前記第２のケース部により画成される空間に収容されたコアとを備えるノイズ吸収装置であって、
前記コアには、長手方向に垂直な断面形状において長軸の長さが挿入されるケーブルの外径の２倍以上であると共に短軸の長さが挿入されるケーブルの外径と同等以上で且つ２倍未満であるケーブル挿通路が形成され、
前記コアは、長手方向に垂直な断面での外形形状が前記ケーブル挿通路の断面形状に対応して長軸及び短軸を有する形状であり、
前記第１のケース部材及び前記第２のケース部材それぞれは、
前記コアを収容するコア収容部と、
ケーブルの折り返された部分を収容するケーブル収容部と、を有しており、
前記コア収容部と前記ケーブル収容部とは、前記コアの前記短軸に平行な方向に隣り合うように位置し、
前記第１のケース部材及び前記第２のケース部材のうち少なくともいずれか一方は、前記コアに係合して当該コアを前記コア収容部に保持するコア係止部を有することを特徴とするノイズ吸収装置。
【発明の詳細な説明】
【技術分野】
【０００１】
本発明は、ノイズ吸収装置に関する。
【背景技術】
【０００２】
この種のノイズ吸収装置として、第１のケース部材と、第２のケース部材と、ケーブルが挿通されると共に第１のケース部材及び第２のケース部により画成される空間に収容されたコアとを備えるものが知られている（例えば、特許文献１を参照）。
【０００３】
特許文献１に記載されたノイズ吸収装置では、第１のケース部材と第２のケース部材とは、ケーブル途中に設けられたコアを挟むように互いに固着される。コアは、ケーブルをコアに一方側から挿通した後、コアの外側を通して同じ側から再度コアに挿通することにより、ケーブルに設けられている。
【特許文献１】実開平６−６０１１７号公報
【発明の開示】
【発明が解決しようとする課題】
【０００４】
しかしながら、特許文献１に記載されたノイズ吸収装置には、次のような問題が生じる。
【０００５】
コアには、ケーブルの折り返された複数の部分が挿通されるため、コア自体が大径化せざるを得ず、第１のケース部材及び第２のケース部により画成される空間を大きくする必要がある。また、コアの外側をケーブルの折り返された部分が通るため、第１のケース部材及び第２のケース部により画成される空間にはコアの外側を通るケーブル分の空間も必要となる。したがって、コア及びケーブルを収容する空間を確保するため、第１のケース部材及び第２のケース部が大型化し、ひいてはノイズ吸収装置の大型化を招いてしまう。
【０００６】
近年、ＤＳＣ（Digital Still Camera）、ＤＶＣ（Digital Video Camera）、ＰＤＡ（Personal Digital Assistance）、ノートパソコンあるいはゲーム機器等の電子機器の小型化に伴い、ノイズ吸収装置に対しても小型化の要請がある。これに対し、特許文献１に記載されたノイズ吸収装置は、小型化の要請に応えられるものではない。
【０００７】
ところで、この種のノイズ吸収装置は、ケース内にコアを収容した状態で、ユーザに供給される。特許文献１に記載されたノイズ吸収装置をケーブルに装着する場合、ユーザは、第１及び第２のケース部材を分離して、コアを取り出し、コアにケーブルを挿通した後、再び、ケーブルを挿通したコアを第１及び第２のケース部材に戻して第１及び第２のケース部材を組み立てる。したがって、ケーブルをコアに挿通する作業の前後で、コアを取り出す作業及びコアを戻す作業が必要となる。これらの作業は、ユーザにとって煩わしい作業であり、作業性向上を阻害する要因となる。
【０００８】
本発明は、小型化を図ることが可能であると共に、装着する際の作業性を向上させることが可能なノイズ吸収装置を提供することを課題とする。
【課題を解決するための手段】
【０００９】
本発明に係るノイズ吸収装置は、第１のケース部材と、第２のケース部材と、ケーブルが挿通されると共に第１のケース部材及び第２のケース部により画成される空間に収容されたコアとを備えるノイズ吸収装置であって、コアには、ケーブルの折り返された複数の部分が当該ケーブルの径方向に沿って並んで挿通されるように、長手方向に垂直な断面形状が長軸及び短軸を有する形状であるケーブル挿通路が形成され、コアは、長手方向に垂直な断面での外形形状がケーブル挿通路の断面形状に対応して長軸及び短軸を有する形状であり、第１のケース部材及び第２のケース部材それぞれは、コアを収容するコア収容部と、ケーブルの折り返された部分を収容するケーブル収容部と、を有しており、コア収容部とケーブル収容部とは、コアの短軸に平行な方向に隣り合うように位置し、第１のケース部材及び第２のケース部材のうち少なくともいずれか一方は、コアに係合して当該コアをコア収容部に保持するコア係止部を有することを特徴とする。
【００１０】
本発明に係るノイズ吸収装置では、ケーブル挿通路の長手方向に垂直な断面形状及びコアの長手方向に垂直な断面での外形形状は長軸及び短軸を有する形状とされる。そして、コア収容部とケーブル収容部とはコアの短軸に平行な方向に隣り合うように位置する。したがって、コア収容部とケーブル収容部とはコアの短軸に平行な方向に隣り合うように位置するが、コアの短軸に平行な方向であるが故に、当該方向での第１のケース部材及び第２のケース部のサイズが大きくなってしまうのが抑制される。また、コア収容部とケーブル収容部とはコアの長軸に平行な方向には位置しないため、当該方向での第１のケース部材及び第２のケース部のサイズが大きくなることはない。これらの結果、コア及びケーブルを収容する空間を確保するために第１のケース部材及び第２のケース部材が大型化することはなく、ノイズ吸収装置の小型化を図ることができる。
【００１１】
また、本発明では、コアは、コア係止部により第１のケース部材及び第２のケース部材のうち少なくともいずれか一方に保持されているので、ノイズ吸収装置をケーブルに装着する際に、コアが保持された状態で作業を進めることが可能となり、コアを取り出す作業及びコアを戻す作業が不要となる。この結果、ノイズ吸収装置をケーブルに装着する際の作業性を向上できる。
【００１２】
また、コアには、長手方向の両端に段差部が形成されており、コア係止部は、段差部それぞれに対応して位置して当該段差部に係合する複数の係合片を含むことが好ましい。この場合、コアを確実に保持し得るコア係止部を簡易に実現することができる。
【００１３】
また、コアは、スリーブコア、あるいは、第１のコア部材と第２のコア部材とを有する分割コアであることが好ましい。
【００１４】
また、第１のコア部材と第２のコア部材とは、コアの長軸に平行な方向での長さが異なることが好ましい。この場合、ノイズ吸収装置をケーブルに装着する際に、コアにケーブルを容易に巻回することができ、ノイズ吸収装置をケーブルに装着する際の作業性をより一層向上できる。
【００１５】
また、第１のケース部材及び第２のケース部材それぞれは、コアの短軸に平行な方向に対向すると共にコアの長手方向に伸びる１対の側壁を有しており、ケーブル収容部は、１対の側壁のうち一方の側壁側に位置し、コア収容部は、１対の側壁のうち他方の側壁側に位置し、ケーブル収容部には、コアを他方の側壁側に配させるガイド片が設けられていることが好ましい。この場合、コアをコア収容部側に確実に寄せて配することができると共に、コアが当該コアの短軸に平行な方向にがたついてしまうのを抑制できる。この結果、ケーブル収容部の空間が小さくなるのを防ぐことができる。
【００１６】
また、第１のケース部材の開口縁及び第２のケース部材の開口縁は、コアの長軸に交差する方向に伸びる平面内に位置していることが好ましい。この場合、第１のケース部材と第２のケース部材との分割面がコアの長軸に交差する方向となり、第１のケース部材と第２のケース部材とのそれぞれがコア収容部及びケーブル収容部を有することとなる。したがって、コアの外側を通るケーブル部分（ケーブルの折り返された部分）を確実にケーブル収容部に収容させながら、コアにケーブルを挿通させることができ、コアにケーブルを挿通させる作業性が向上する。また、コアがコア収容部に保持され、コアの外側を通るケーブル部分がケーブル収容部に収容された状態で第１のケース部材と第２のケース部材とを組み付けることができ、ノイズ吸収装置をケーブルに装着する際の作業性をより一層向上できる。また、第１のケース部材と第２のケース部材とを組み付ける際に、コアの外側を通るケーブル部分が第１のケース部材と第２のケース部材とに挟まれてしまうのを防ぐことができる。
【００１７】
また、第１のケース部材及び第２のケース部材それぞれは、コアの短軸に平行な方向に対向すると共にコアの長手方向に伸びる１対の側壁を有しており、第１のケース部材と第２のケース部材とは、１対の側壁のうち一方の側壁側に設けられたヒンジ部と１対の側壁のうち他方の側壁側に設けられた係止部とにより連結され、ケーブル収容部は、一方の側壁側に位置することが好ましい。この場合、ヒンジ部がコアの外側を通るケーブル部分（ケーブルの折り返された部分）をケーブル収容部に案内するガイドとして機能し、ケーブル収容部にコアの外側を通るケーブル部分を確実に収容することができる。
【００１８】
また、第１のケース部材及び第２のケース部材それぞれは、コアの短軸に平行な方向に対向すると共にコアの長手方向に伸びる１対の側壁を有しており、第１のケース部材と第２のケース部材とは、１対の側壁のうち一方の側壁側に設けられたヒンジ部と１対の側壁のうち他方の側壁側に設けられた係止部とにより連結され、係止部は、第１のケース部材及び第２のケース部材のいずれか一方の他方の側壁に形成された孔部と、第１のケース部材及び第２のケース部材のいずれか他方の他方の側壁に形成された差し込み片と、を含み、ケーブル収容部は、他方の側壁側に位置することが好ましい。この場合、係止部の差し込み片がコアの外側を通るケーブル部分（ケーブルの折り返された部分）をケーブル収容部に案内するガイドとして機能し、ケーブル収容部にコアの外側を通るケーブル部分を確実に収容することができる。
【００１９】
また、第１のケース部材及び第２のケース部材それぞれは、コアの長手方向に対向する１対の側壁を有しており、１対の側壁には、第１のケース部材と第２のケース部材とが閉じられた際にケーブル挿通路の断面形状に対応して長軸及び短軸を有する形状の開口部を構成する窪みが形成されていることが好ましい。この場合、第１のケース部材及び第２のケース部材と、ケーブルとの干渉を防ぐことができる。
【００２０】
また、本発明に係るノイズ吸収装置は、第１のケース部材と、第２のケース部材と、ケーブルが挿通されると共に第１のケース部材及び第２のケース部により画成される空間に収容されたコアとを備えるノイズ吸収装置であって、コアには、長手方向に垂直な断面形状において長軸の長さが挿入されるケーブルの外径の２倍以上であると共に短軸の長さが挿入されるケーブルの外径と同等以上で且つ２倍未満であるケーブル挿通路が形成され、コアは、長手方向に垂直な断面での外形形状がケーブル挿通路の断面形状に対応して長軸及び短軸を有する形状であり、第１のケース部材及び第２のケース部材それぞれは、コアを収容するコア収容部と、ケーブルの折り返された部分を収容するケーブル収容部と、を有しており、コア収容部とケーブル収容部とは、コアの短軸に平行な方向に隣り合うように位置し、第１のケース部材及び第２のケース部材のうち少なくともいずれか一方は、コアに係合して当該コアをコア収容部に保持するコア係止部を有することを特徴とする。
【００２１】
本発明に係るノイズ吸収装置では、ケーブル挿通路は、長手方向に垂直な断面形状において長軸の長さが挿入されるケーブルの外径の２倍以上であると共に短軸の長さが挿入されるケーブルの外径と同等以上で且つ２倍未満であるので、ケーブル挿通路内には、ケーブルの折り返された複数の部分が当該ケーブルの径方向に沿うように並んで挿通されることとなる。そして、ケーブル挿通路の長手方向に垂直な断面形状及びコアの長手方向に垂直な断面での外形形状は長軸及び短軸を有する形状とされ、コア収容部とケーブル収容部とはコアの短軸に平行な方向に隣り合うように位置する。したがって、コア収容部とケーブル収容部とはコアの短軸に平行な方向に隣り合うように位置するが、コアの短軸に平行な方向であるが故に、当該方向での第１のケース部材及び第２のケース部のサイズが大きくなってしまうのが抑制される。また、コア収容部とケーブル収容部とはコアの長軸に平行な方向には位置しないため、当該方向での第１のケース部材及び第２のケース部のサイズが大きくなることはない。これらの結果、コア及びケーブルを収容する空間を確保するために第１のケース部材及び第２のケース部材が大型化することはなく、ノイズ吸収装置の小型化を図ることができる。
【００２２】
また、本発明では、コアは、コア係止部により第１のケース部材及び第２のケース部材のうち少なくともいずれか一方に保持されているので、ノイズ吸収装置をケーブルに装着する際に、コアが保持された状態で作業を進めることが可能となり、コアを取り出す作業及びコアを戻す作業が不要となる。この結果、ノイズ吸収装置をケーブルに装着する際の作業性を向上できる。
【発明の効果】
【００２３】
本発明によれば、小型化を図ることが可能であると共に、装着する際の作業性を向上させることが可能なノイズ吸収装置を提供することができる。
【発明を実施するための最良の形態】
【００２４】
以下、添付図面を参照して、本発明に係るノイズ吸収装置の好適な実施形態について詳細に説明する。なお、説明において、同一要素又は同一機能を有する要素には、同一符号を用いることとし、重複する説明は省略する。
【００２５】
まず、図１〜図８に基づいて、実施形態に係るノイズ吸収装置ＮＦ１の構成を説明する。図１及び図２は、本実施形態に係るノイズ吸収装置を示す斜視図である。図３は、本実施形態に係るノイズ吸収装置に含まれるコアを示す斜視図である。図４は、本実施形態に係るノイズ吸収装置に含まれるコアを示す側面図である。図５は、図４のV−V線に沿った断面図である。図６は、本実施形態に係るノイズ吸収装置に含まれるケースを示す斜視図である。図７は、本実施形態に係るノイズ吸収装置に含まれるケースを示す平面図である。図８は、図７のVIII−VIII線に沿った断面図である。図２及び図６〜図８は、ケースを開いた状態を示す。
【００２６】
ノイズ吸収装置ＮＦ１は、信号ケーブルが挿通されるコア１と、開閉可能なケース１０とを備える。ケース１０には、信号ケーブルが挿通される開口部１０ａが形成されている。
【００２７】
コア１は、長円環状のスリーブコアであって、フェライト磁性材料製である。コア１は、後述する第１のケース部材１１のコア係止部１９により、第１のケース部材１１のコア収容部１７に保持されて、コア収容部１７に収容されている。コア１は、第１のケース部材１１と第２のケース部材３１とが閉じられた際に、その一部が第２のケース部材３１のコア収容部１７に収容された状態となる。
【００２８】
コア１には、信号ケーブルが挿通されるケーブル挿通路３が形成されている。ケーブル挿通路３は、コア１の長手方向に垂直な断面形状において長軸の長さが挿入される信号ケーブルの外径の２倍以上であると共に短軸の長さが挿入される信号ケーブルの外径と同等以上で且つ２倍未満である。本実施形態では、ケーブル挿通路３の長軸の長さは信号ケーブルの外径の２倍程度に設定され、短軸の長さは信号ケーブルの外径よりも若干大きい程度に設定されている。これにより、ケーブル挿通路３には、信号ケーブルの折り返された複数（本実施形態では、２つ）の部分が当該信号ケーブルの径方向に沿って並んで挿通されることとなる。
【００２９】
コア１の長手方向に垂直な断面での外形形状は、ケーブル挿通路３の断面形状に対応して長軸及び短軸を有する形状である。コア１の長軸方向に伸びる部分には、コア１の長手方向の端面から長手方向に引き込んだ窪み５が形成されている。これにより、コア１の長手方向の端面と窪み５の底面とで段差部７が構成され、コア１の長手方向の両端に段差部７が形成されることとなる。段差部７は、コア１の両端に１対ずつ設けられる。
【００３０】
ケース１０は、第１のケース部材１１と第２のケース部材３１とにより構成され、合成樹脂製である。第１のケース部材１１及び第２のケース部３１は、コア１を収容する空間を画成する。以下、第１及び第２のケース部材１１，３１については、図１〜図３に示すように、ケース１０及びコア１の長手方向をＸ軸方向、コア１の短軸に平行な方向をＹ軸方向、Ｘ軸方向及びＹ軸方向に直交するコア１の長軸に平行な方向をＺ軸方向と定義して説明する。
【００３１】
第１のケース部材１１は、一面が開口され有底状の部材であり、第１〜第５の側壁１２〜１６を有する。第１の側壁１２は、第１のケース部材１１の底として機能する。第２及び第３の側壁１３，１４は、第１の側壁１２のＹ軸方向の両端に位置し、Ｙ軸方向に対向すると共にＸ軸方向及びＺ軸方向に伸びている。第４及び第５の側壁１５，１６は、第１の側壁１２のＸ軸方向の両端に位置し、Ｘ軸方向に対向すると共にＹ軸方向及びＺ軸方向に伸びている。第１のケース部材１１の開口縁は、Ｚ軸に交差する方向（例えば、Ｚ軸に直交するＹ軸方向）に伸びる平面内に位置している。
【００３２】
第１のケース部材１１は、図７及び図８にも示されるように、コア収容部１７と、ケーブル収容部１８とを有する。コア収容部１７には、コア１が収容される。ケーブル収容部１８には、コア１の外側を通る信号ケーブル部分（信号ケーブルの折り返された部分）が収容される。ケーブル収容部１８は、第２の側壁１３側に位置している。コア収容部１７は、第３の側壁１４側に位置している。したがって、コア収容部１７とケーブル収容部１８とは、Ｙ軸方向に隣り合うように位置することとなる。
【００３３】
第１のケース部材１１は、コア係止部１９を有する。コア係止部１９は、コア１に係合して当該コア１をコア収容部１７に保持する。コア係止部１９は、第１の側壁１２からＺ軸方向に伸びる複数（本実施形態では、４つ）の係合片２０を含んでいる。各係合片２０は、コア１の段差部７に対応して位置しており、対応する段差部７にそれぞれ係合する。
【００３４】
ケーブル収容部１８には、コア１を第３の側壁１４側に配させるガイド片２１が設けられている。ガイド片２１は、第１の側壁１２と第２の側壁１３に渡って設けられており、Ｙ軸方向及びＺ軸方向に伸びている。
【００３５】
第２のケース部材３１は、一面が開口され有底状の部材であり、第１〜第５の側壁３２〜３６を有する。第１の側壁３２は、第２のケース部材３１の底として機能する。第２及び第３の側壁３３，３４は、第１の側壁３２のＹ軸方向の両端に位置し、Ｙ軸方向に対向すると共にＸ軸方向及びＺ軸方向に伸びている。第４及び第５の側壁３５，３６は、第１の側壁３２のＸ軸方向の両端に位置し、Ｘ軸方向に対向すると共にＹ軸方向及びＺ軸方向に伸びている。第２のケース部材３１の開口縁は、Ｚ軸に交差する方向（例えば、Ｚ軸に直交するＹ軸方向）に伸びる平面内に位置している。
【００３６】
第２のケース部材３１は、図７及び図８にも示されるように、第１のケース部材１１と同じく、コア収容部３７と、ケーブル収容部３８とを有する。コア収容部３７には、コア１が収容される。ケーブル収容部３８には、コア１の外側を通る信号ケーブル部分（信号ケーブルの折り返された部分）が収容される。ケーブル収容部３８は、第２の側壁３３側に位置している。コア収容部３７は、第３の側壁３４側に位置している。したがって、コア収容部３７とケーブル収容部３８とは、Ｙ軸方向に隣り合うように位置することとなる。
【００３７】
ケーブル収容部３８には、コア１を第３の側壁３４側に配させるガイド片４１が設けられている。ガイド片４１は、第１の側壁３２と第２の側壁３３に渡って設けられており、Ｙ軸方向及びＺ軸方向に伸びている。
【００３８】
第１のケース部材１１の第４及び第５の側壁１５，１６と、第２のケース部材３１の第４及び第５の側壁３５，３６とには、窪み２２，４２がそれぞれ形成されている。各窪み２２，４２は、第１のケース部材１１と第２のケース部材３１とが閉じられた際に、開口部１０ａを構成する。開口部１０ａは、ケーブル挿通路３の断面形状に対応して長軸及び短軸を有する形状である。
【００３９】
第１のケース部材１１と第２のケース部材３１とは、第２の側壁１３，３３側に設けられたヒンジ部４５と第３の側壁１４，３４側に設けられた係止部４７とにより連結される。係止部４７は、第２のケース部材３１の第２の側壁３３に形成された一対の孔部４８と、第１のケース部材１１の第３の側壁１４から伸びるように形成された一対の差し込み片４９とを含んでいる。各差し込み片４９が対応する孔部４８に差し込まれて当該孔部４８と係合することにより、第１のケース部材１１と第２のケース部材３１とが係止されることとなる。
【００４０】
続いて、図８〜図１２を参照して、上述したノイズ吸収装置ＮＦ１を信号ケーブルに装着する過程を説明する。図９〜図１１は、本実施形態に係るノイズ吸収装置を信号ケーブルに装着する過程を説明するための斜視図である。図１２は、図１１のXII−XII線に沿った断面図である。
【００４１】
まず、第１及び第２のケース部材１１，３１を開いた状態で、コア１のケーブル挿通路３にコア１の長手方向の一方側から信号ケーブルＳＣを挿通する（図８及び図９参照）。このとき、コア１は、コア係止部１９の係合片２０により第１のケース部材１１のコア収容部１７に保持されているので、コア１を第１のケース部材１１から取り出す必要はない。信号ケーブルＳＣの外径は、例えば２．５ｍｍ程度である。
【００４２】
次に、コア１に挿通した信号ケーブルＳＣを折り返し、信号ケーブルＳＣの折り返した部分を第１のケース部材１１のケーブル収容部１８に引き回し、再度、コア１のケーブル挿通路３にコア１の長手方向の一方側から信号ケーブルＳＣを挿通する（図８及び図１０参照）。これにより、信号ケーブルＳＣはコア１に巻回され、コア１の外側を通る部分は第１のケース部材１１のケーブル収容部１８に収容されることとなる。もちろん、コア１は、コア係止部１９により第１のケース部材１１のコア収容部１７に保持されており、コア１を第１のケース部材１１に収容した状態で作業が行われる。
【００４３】
次に、第１及び第２のケース部材１１，３１を閉じ、係止部４７により第１のケース部材１１と第２のケース部材３１とを係止する（図１１参照）。このとき、コア１の外側を通る信号ケーブル部分（信号ケーブルＳＣの折り返された部分）は、ヒンジ部４５に案内されて、第１及び第２のケース部材１１，３１のケーブル収容部１８，３８にスムーズに収容される。
【００４４】
以上の過程により、ケース１０内に信号ケーブルＳＣが巻回されたコア１と、コア１の外側を通る信号ケーブル部分（信号ケーブルＳＣの折り返された部分）とが収納されることとなる（図１２参照）。コア１のケーブル挿通路３には、信号ケーブルＳＣの折り返された２つの部分が当該信号ケーブルＳＣの径方向に沿って一列に並んで挿通されている。
【００４５】
以上のように、本実施形態によれば、ケーブル挿通路３の長手方向に垂直な断面形状及びコア１の長手方向に垂直な断面での外形形状は長軸及び短軸を有する形状とされる。そして、コア収容部１７，３７とケーブル収容部１８，３８とはコア１の短軸に平行な方向に隣り合うように位置する。したがって、コア収容部１７，３７とケーブル収容部１８，３８とはコア１の短軸に平行な方向に隣り合うように位置するものの、コア１の短軸に平行な方向であるが故に、当該方向での第１及び第２のケース部１１，３１のサイズが大きくなってしまうのが抑制される。また、コア収容部１７，３７とケーブル収容部１８，３８とはコア１の長軸に平行な方向には位置しないため、当該方向での第１及び第２のケース部１１，３１のサイズが大きくなることはない。これらの結果、コア１及び信号ケーブルＳＣを収容する空間を確保するために第１及び第２のケース部１１，３１が大型化することはなく、ノイズ吸収装置ＮＦ１の小型化を図ることができる。
【００４６】
また、本実施形態では、コア１は、コア係止部１９により第１のケース部材１１に保持されているので、ノイズ吸収装置ＮＦ１を信号ケーブルＳＣに装着する際に、コア１が保持された状態で作業を進めることが可能となり、コア１を取り出す作業及びコア１を戻す作業が不要となる。この結果、ノイズ吸収装置ＮＦ１を信号ケーブルＳＣに装着する際の作業性を向上できる。
【００４７】
また、本実施形態において、コア１には、長手方向の両端に段差部７が形成されており、コア係止部１９は、段差部７それぞれに対応して位置して当該段差部７に係合する複数の係合片２０を含んでいる。これにより、コア１を確実に保持し得るコア係止部１９を簡易に実現することができる。
【００４８】
また、本実施形態において、第１及び第２のケース部１１，３１それぞれは、コア１の短軸に平行な方向に対向すると共にコア１の長手方向に伸びる第２及び第３の側壁１３，１４，３３，３４を有しており、ケーブル収容部１８，３８は、第２の側壁１３，３３側に位置し、コア収容部１７，３７は、第３の側壁１４，３４側に位置し、ケーブル収容部１８，３８には、コア１を第３の側壁１４，３４側に配させるガイド片２１，４１が設けられている。これにより、コア１をコア収容部１７，３７側に確実に寄せて配することができると共に、コア１が当該コア１の短軸に平行な方向にがたついてしまうのを抑制できる。この結果、ケーブル収容部１８，３８の空間が小さくなるのを防ぐことができる。
【００４９】
また、本実施形態において、第１のケース部材１１の開口縁及び第２のケース部材３１の開口縁は、コア１の長軸に交差する方向に伸びる平面内に位置している。これにより、第１のケース部材１１と第２のケース部材３１との分割面がコア１の長軸に交差する方向となり、第１のケース部材１１と第２のケース部材とのそれぞれがコア収容部１７，３７及びケーブル収容部１８，３８を有することとなる。したがって、コア１の外側を通る信号ケーブル部分を確実にケーブル収容部１８に収容させながら、コア１に信号ケーブルＳＣを挿通させることができ、コア１に信号ケーブルを挿通させる作業性が向上する。また、コア１がコア収容部１７に保持され、コア１の外側を通る信号ケーブル部分がケーブル収容部１８に収容された状態で第１のケース部材１１と第２のケース部材３１とを組み付けることができ、ノイズ吸収装置ＮＦ１を信号ケーブルＳＣに装着する際の作業性をより一層向上できる。また、第１のケース部材１１と第２のケース部材３１とを組み付ける際に、コア１の外側を通る信号ケーブル部分が第１のケース部材１１と第２のケース部材３１とに挟まれてしまうのを防ぐことができる。
【００５０】
また、本実施形態において、第１のケース部材１１と第２のケース部材３１とは、第２の側壁１３，３３側に設けられたヒンジ部４５と第３の側壁１４，３４側に設けられた係止部４７とにより連結され、ケーブル収容部１８，３８は、第２の側壁１３，３３側に位置している。これにより、ヒンジ部４５がコア１の外側を通る信号ケーブル部分をケーブル収容部１８，３８に案内するガイドとして機能し、ケーブル収容部１８，３８にコア１の外側を通る信号ケーブル部分を確実に収容することができる。
【００５１】
また、本実施形態において、第１及び第２のケース部１１，３１それぞれは、コア１の長手方向に対向する第４及び第５の側壁１５，１６を有しており、第４及び第５の側壁１５，１６には、第１のケース部材１１と第２のケース部材３１とが閉じられた際にケーブル挿通路３の断面形状に対応して長軸及び短軸を有する形状の開口部１０ａを構成する窪み５が形成されている。これにより、第１及び第２のケース部１１，３１と、信号ケーブルＳＣとの干渉を防ぐことができる。
【００５２】
次に、図１３〜図１８を参照して、本実施形態に係るノイズ吸収装置ＮＦ１の一変形例について説明する。本変形例に係るノイズ吸収装置ＮＦ２は、コアの構成の点で上述した実施形態に係るノイズ吸収装置ＮＦ１と相違する。図１３及び図１４は、本実施形態に係るノイズ吸収装置の一変形例を示す斜視図である。図１５は、本実施形態に係るノイズ吸収装置の一変形例に含まれるコアを示す正面図である。図１６は、本実施形態に係るノイズ吸収装置の一変形例に含まれるコアを示す側面図である。図１７は、本実施形態に係るノイズ吸収装置の一変形例に含まれるケースを示す斜視図である。図１８は、本実施形態に係るノイズ吸収装置の一変形例に含まれるケースを示す平面図である。図１４、図１７及び図１８は、ケースを開いた状態を示す。
【００５３】
ノイズ吸収装置ＮＦ２は、信号ケーブルが挿通されるコア５０と、ケース１０とを備える。ケース１０には、信号ケーブルを挿通される開口部１０ａが形成されている。コア５０は、分割コアであって、フェライト磁性材料製である。コア５０は、第１のコア部材５１と、第２のコア部材６１とを有する。
【００５４】
第１のコア部材５１は、長手方向に垂直な断面が略Ｕ字形状のコアである。第１のコア部材５１は、基部５２と、一対の側壁部５３とを含んでいる。基部５２は、略板状である。側壁部５３は、当該基部５２の長手方向に垂直な方向での端から基部５２に垂直な方向に伸びている。基部５２の長手方向の端には、段差部５４が形成されている。段差部５４は、第１のケース部材１１のコア係止部１９と係合する。
【００５５】
第１のコア部材５１は、第１のケース部材１１のコア係止部１９により、第１のケース部材１１のコア収容部１７に保持されて、当該コア収容部１７に収容されている。第１のコア部材５１は、第１のケース部材１１と第２のケース部材３１とが閉じられた際に、その一部が第２のケース部材３１のコア収容部１７に収容された状態となる。
【００５６】
第２のコア部材６１は、略板形状のコアである。第２のコア部材６１の長手方向の端には、段差部６４が形成されている。段差部６４は、後述する第２のケース部材３１のコア係止部３９と係合する。
【００５７】
第２のコア部材６１は、第２のケース部材３１のコア係止部３９により、第２のケース部材３１のコア収容部３７に保持されて、当該コア収容部３７に収容されている。第２のコア部材６１は、第１のケース部材１１と第２のケース部材３１とが閉じられた際に、第１のコア部材５１と協働して角環状のコア５０を構成する。第１のコア部材５１は略Ｕ字形状のコアであり、第２のコア部材６１は略Ｕ字形状のコアであることから、第１のコア部材５１と第２のコア部材６１とはコア５０の長軸に平行な方向での長さが異なる。
【００５８】
第１のコア部材５１と第２のコア部材６１とで画成される空間は、ケーブル挿通路３として機能する。ケーブル挿通路３は、ケーブル挿通路３は、コア５０の長手方向に垂直な断面形状において長軸の長さが挿入される信号ケーブルの外径の２倍以上であると共に短軸の長さが挿入される信号ケーブルの外径と同等以上で且つ２倍未満である。本実施形態では、ケーブル挿通路３の長軸の長さは信号ケーブルの外径の２倍程度に設定され、短軸の長さは信号ケーブルの外径よりも若干大きく設定されている。これにより、ケーブル挿通路３には、信号ケーブルの折り返された複数の部分が当該信号ケーブルの径方向に沿って並んで挿通されることとなる。
【００５９】
第２のケース部材３１は、コア係止部３９を有する。コア係止部３９は、第２のコア部材６１に係合して当該第２のコア部材６１をコア収容部３７に保持する。コア係止部３９は、第１の側壁３２からＺ軸方向に伸びる複数（本実施形態では、４つ）の係合片４０を含んでいる。各係合片４０は、第２のコア部材６１の段差部６４に対応して位置しており、対応する段差部６４にそれぞれ係合する。
【００６０】
第１のケース部材１１のコア収容部１７には、第１のコア部材５１を位置決めする位置決め片２３が設けられている。第２のケース部材３１のコア収容部３７には、第２のコア部材６１を位置決めする位置決め片４３が設けられている。これらの位置決め片２３，４３は、各コア部材５１，６１のがたつきを防止する。
【００６１】
第１のケース部材１１の第４及び第５の側壁１５，１６と、第２のケース部材３１の第４及び第５の側壁３５，３６とには、窪み２２，４２がそれぞれ形成されている。窪み２２，４２は、第１のケース部材１１と第２のケース部材３１とが閉じられた際に、開口部１０ａを構成する。開口部１０ａは、略円形状である。
【００６２】
続いて、図１９及び図２０を参照して、上述したノイズ吸収装置ＮＦ２をＵＳＢ（Universal Serial Bus）ケーブルに装着する過程を説明する。図１９及び図２０は、本実施形態に係るノイズ吸収装置をＵＳＢケーブルに装着する過程を説明するための斜視図である。
【００６３】
まず、第１及び第２のケース部材１１，３１を開いた状態で、ＵＳＢケーブルＵＣを第１のコア部材５１のケーブル挿通路３部分、第１のケース部材１１のケーブル収容部１８、第１のコア部材５１のケーブル挿通路３部分の順に引き回す（図１９参照）。これにより、ＵＳＢケーブルＵＣは、第１のコア部材５１の一方の側壁部５３に巻回され、ＵＳＢケーブルＵＣの第１のコア部材５１の外側を通る部分は第１のケース部材１１のケーブル収容部１８に収容されることとなる。このとき、第１のコア部材５１は、コア係止部１９により第１のケース部材１１のコア収容部１７に保持されているので、第１のコア部材５１を第１のケース部材１１から取り出す必要はない。また、第２のコア部材６１は、コア係止部３９により第２のケース部材３１のコア収容部３７に保持されている。ＵＳＢケーブルＵＣの外径は、例えば４．２ｍｍ程度である。なお、コア収容部１７，３７及びケーブル収容部１８，３８については、図１８を参照する。
【００６４】
次に、第１及び第２のケース部材１１，３１を閉じ、係止部４７により第１のケース部材１１と第２のケース部材３１とを係止する（図２０参照）。このとき、第１のコア部材５１の外側を通るＵＳＢケーブル部分（ＵＳＢケーブルＵＣの折り返された部分）は、ヒンジ部４５に案内されて、第１及び第２のケース部材１１，３１のケーブル収容部１８，３８にスムーズに収容される。
【００６５】
以上の過程により、ケース１０内にＵＳＢケーブルＵＣが巻回されたコア５０と、コア５０の外側を通るＵＳＢケーブル部分（ＵＳＢケーブルＵＣの折り返された部分）とが収容されることとなる（図１２参照）。コア５０のケーブル挿通路３には、ＵＳＢケーブルＵＣの折り返された２つの部分が当該ＵＳＢケーブルＵＣの径方向に沿って一列に並んで挿通されている。
【００６６】
以上のように、本変形例では、上述した実施形態と同様に、ケーブル挿通路３の長手方向に垂直な断面形状及びコア５０の長手方向に垂直な断面での外形形状は長軸及び短軸を有する形状とされる。そして、コア収容部１７，３７とケーブル収容部１８，３８とはコア５０の短軸に平行な方向に隣り合うように位置する。これにより、本変形例においても、コア５０及び信号ケーブル（ＵＳＢケーブルＵＣ）を収容する空間を確保するために第１及び第２のケース部１１，３１が大型化することはなく、ノイズ吸収装置ＮＦ２の小型化を図ることができる。
【００６７】
また、各コア部材５１，６１は、コア係止部１９，３９により各ケース部材１１，３１に保持されているので、ノイズ吸収装置ＮＦ２を信号ケーブルに装着する際に、各コア部材５１，６１が保持された状態で作業を進めることが可能となり、各コア部材５１，６１を取り出す作業及び各コア部材５１，６１を戻す作業が不要となる。この結果、ノイズ吸収装置ＮＦ２を信号ケーブルに装着する際の作業性を向上できる。
【００６８】
また、本変形例において、第１のコア部材５１と第２のコア部材６１とは、コア５０の長軸に平行な方向での長さが異なっている。これにより、ノイズ吸収装置ＮＦ２を信号ケーブルに装着する際に、コア５０（第１のコア部材５１）に信号ケーブルを容易に巻回することができ、ノイズ吸収装置ＮＦ２を信号ケーブルに装着する際の作業性をより一層向上できる。
【００６９】
次に、図２１〜図２３を参照して、本実施形態に係るノイズ吸収装置ＮＦ１の一変形例について説明する。本変形例に係るノイズ吸収装置ＮＦ３は、コア収容部１７，３７及びケーブル収容部１８，３８の位置の点で上述した実施形態の変形例に係るノイズ吸収装置ＮＦ２と相違する。図２１は、本実施形態に係るノイズ吸収装置の一変形例を示す斜視図である。図２２は、本実施形態に係るノイズ吸収装置の一変形例に含まれるケースを示す斜視図である。図２３は、本実施形態に係るノイズ吸収装置の一変形例に含まれるケースを示す平面図である。図２１〜図２３は、ケースを開いた状態を示す。
【００７０】
ノイズ吸収装置ＮＦ３は、信号ケーブルが挿通されるコア５０と、ケース１０とを備える。ケース１０には、信号ケーブルが挿通される開口部１０ａが形成されている。ケース１０は、第１のケース部材１１と第２のケース部材３１とにより構成される。
【００７１】
第１及び第２のケース部材１１，３１のケーブル収容部１８，３８は、第３の側壁１４，３４側に位置している。第１及び第２のケース部材１１，３１のコア収容部１７，３７は、第２の側壁１３，３３側に位置している。この場合、係止部４７の差し込み片４９がコア５０の外側を通る信号ケーブル部分をケーブル収容部１８，３８に案内するガイドとして機能し、ケーブル収容部１８，３８にコア５０の外側を通る信号ケーブル部分を確実に収容することができる。
【００７２】
以上、本発明の好適な実施形態について説明してきたが、本発明は必ずしもこれらの実施形態に限定されるものではない。例えば、コア１，５０（第１及び第２のコア部材５１，６１）の形状も上述したものに限られない。コア１は、角環状のスリーブコアであってもよい。コア５０は、長円環状のコアであってもよい。第２のコア部材６１は、湾曲した板形状であってもよい。
【００７３】
また、コア１，５０に信号ケーブルを複数回巻回してもよい。この場合、コア１，５０のケーブル挿通路３に挿通される信号ケーブルの折り返し部分の数は３つ以上となる。
【００７４】
また、第１のケース部材１１と第２のケース部材３１とは、ヒンジ部４５にて連結されていなくてもよい。この場合、ヒンジ部４５の代わりに係止部４７を設け、係止部４７のみにて第１のケース部材１１と第２のケース部材３１とを連結することができる。
【００７５】
また、本実施形態に係るノイズ吸収装置は、信号ケーブルに適用しているが、これに限ることなく、電源ケーブルに適用してもよい。
【図面の簡単な説明】
【００７６】
【図１】本実施形態に係るノイズ吸収装置を示す斜視図である。
【図２】本実施形態に係るノイズ吸収装置を示す斜視図である。
【図３】本実施形態に係るノイズ吸収装置に含まれるコアを示す斜視図である。
【図４】本実施形態に係るノイズ吸収装置に含まれるコアを示す側面図である。
【図５】図４のV−V線に沿った断面図である。
【図６】本実施形態に係るノイズ吸収装置に含まれるケースを示す斜視図である。
【図７】本実施形態に係るノイズ吸収装置に含まれるケースを示す平面図である。
【図８】図７のVIII−VIII線に沿った断面図である。
【図９】本実施形態に係るノイズ吸収装置を信号ケーブルに装着する過程を説明するための斜視図である。
【図１０】本実施形態に係るノイズ吸収装置を信号ケーブルに装着する過程を説明するための斜視図である。
【図１１】本実施形態に係るノイズ吸収装置を信号ケーブルに装着する過程を説明するための斜視図である。
【図１２】図１１のXII−XII線に沿った断面図である。
【図１３】本実施形態に係るノイズ吸収装置の一変形例を示す斜視図である。
【図１４】本実施形態に係るノイズ吸収装置の一変形例を示す斜視図である。
【図１５】本実施形態に係るノイズ吸収装置の一変形例に含まれるコアを示す正面図である。
【図１６】本実施形態に係るノイズ吸収装置の一変形例に含まれるコアを示す側面図である。
【図１７】本実施形態に係るノイズ吸収装置の一変形例に含まれるケースを示す斜視図である。
【図１８】本実施形態に係るノイズ吸収装置の一変形例に含まれるケースを示す平面図である。
【図１９】本実施形態に係るノイズ吸収装置をＵＳＢケーブルに装着する過程を説明するための斜視図である。
【図２０】本実施形態に係るノイズ吸収装置をＵＳＢケーブルに装着する過程を説明するための斜視図である。
【図２１】本実施形態に係るノイズ吸収装置の一変形例を示す斜視図である。
【図２２】本実施形態に係るノイズ吸収装置の一変形例に含まれるケースを示す斜視図である。
【図２３】本実施形態に係るノイズ吸収装置の一変形例に含まれるケースを示す平面図である。
【符号の説明】
【００７７】
１…コア、３…ケーブル挿通路、７…段差部、１０…ケース、１０ａ…開口部、１１…第１のケース部材、１２〜１６…第１〜第５の側壁、１７…コア収容部、１８…ケーブル収容部、１９…コア係止部、２０…係合片、２１…ガイド片、３１…第２のケース部材、３２〜３６…第１〜第５の側壁、３７…コア収容部、３８…ケーブル収容部、３９…コア係止部、４０…係合片、４１…ガイド片、４５…ヒンジ部、４７…係止部、４８…孔部、４９…差し込み片、５０…コア、５１…第１のコア部材、５２…基部、５３…側壁部、５４…段差部、６１…第２のコア部材、６４…段差部、ＮＦ１〜ＮＦ３…ノイズ吸収装置、ＳＣ…信号ケーブル、ＵＣ…ＵＳＢケーブル。
【図１】
2006147796.tif 000003
【図２】
2006147796.tif 000004
【図３】
2006147796.tif 000005
【図４】
2006147796.tif 000006
【図５】
2006147796.tif 000007
【図６】
2006147796.tif 000008
【図７】
2006147796.tif 000009
【図８】
2006147796.tif 000010
【図９】
2006147796.tif 000011
【図１０】
2006147796.tif 000012
【図１１】
2006147796.tif 000013
【図１２】
2006147796.tif 000014
【図１３】
2006147796.tif 000015
【図１４】
2006147796.tif 000016
【図１５】
2006147796.tif 000017
【図１６】
2006147796.tif 000018
【図１７】
2006147796.tif 000019
【図１８】
2006147796.tif 000020
【図１９】
2006147796.tif 000021
【図２０】
2006147796.tif 000022
【図２１】
2006147796.tif 000023
【図２２】
2006147796.tif 000024
【図２３】
2006147796.tif 000025